(57)【特許請求の範囲】
【請求項１】
切り花を挿入する筒状の花器内に収納してこの切り花をほぼ直立状態に保持する切り花保持具であって、
ヒンジを介して接続され、このヒンジを中心に回動して開閉動作をする相対向する２つの弾性体を設け、前記弾性体の開動作は、２つの前記弾性体が花器内面に当接することによって規制され、２つの前記弾性体がこれらの間に切り花を狭持して動作するときは、２つの前記弾性体が花器内面に当接する反作用力によってこれら２つの弾性体が閉じる方向に付勢され、切り花を保持することを特徴とする切り花保持具。
【請求項２】
前記弾性体は板体を折り曲げて成形したことを特徴とする請求項１記載の切り花保持具。
【請求項３】
前記弾性体は多孔質弾性材にて一体成形したことを特徴とする請求項１記載の切り花保持具。
【請求項４】
切り花を挿入する筒状の花器内に収納してこの切り花をほぼ直立状態に保持する切り花保持具であって、
一端がヒンジを介して接続され、他端がそれぞれ前記ヒンジを中心として開閉自在の２つの保持部材と、２つの前記保持部材の外壁面にそれぞれ装着され、前記花器の内壁に当接して前記保持部材を閉じる方向に付勢する弾性体とを備え、２つの前記保持部材の間の空間に切り花を入れて相対向する前記保持部材が広げられたときに、前記花器の内壁による反作用力が前記弾性体を介して前記保持部材に伝達されて切り花を保持し、この切り花をほぼ直立状態に保つことを特徴とする切り花保持具。
【発明の詳細な説明】
【０００１】
【発明の属する技術分野】
本発明は、切り花を挿入する筒状の花器に使用し、この切り花をほぼ直立状態に保持する切り花保持具に関する。
【０００２】
【従来の技術】
従来より切り花を直立させて挿入し、部屋内のインテリア等として用いる花器や墓参の際に墓石に花を添えるため、切り花を直立させて挿入する墓石に着脱自在に備えた花立て等が数多く作成されている。
【０００３】
そして、これらの花器や花立ては、切り花を挿入する開口部を有し、この開口部の大きさに合わせて挿入する切り花の本数が決められる。
一方、これらの花器や花立てに切り花を入れる場合、開口部に隙間がなくなるように押し詰めた状態で切り花を立てることはせずに、多少の余裕を持たせて切り花を入れることが一般的である。
【０００４】
ここで、切り花を花器等に入れた場合、これら切り花の花の重みで切り花が開口部のどちらか一方に偏ることが多く、切り花を直立させることが難しい。
特に、墓石に備えた花立ては、切り花の茎部を輪ゴムや紐で結んでそのまま花立てに挿入したり、切り花をまとめないで単に挿入する場合が多いためにどちらか一方に偏り美観が悪くなる。
【０００５】
そこで、切り花を直立させるために切り花を剣山に刺し、この剣山を花器や花立ての底部に入れる場合がある。また、花器や花立ての開口部にメッシュ状の部材を装着し、この部材によってそれぞれ区切られた部位に切り花を挿入して直立させる場合もある。さらに、クリップ等で切り花を把持し、このクリップを花器や花立てに固着する場合もある。
【０００６】
【発明が解決しようとする課題】
ところで、切り花をそのまま花器に挿入し切り花が花器の一方に偏ると、花器の重心位置がずれてしまい多少の風で花器が倒れて切り花が散乱するという問題がある。
【０００７】
また、墓石に備えた花立ては、墓地内には常に風が吹いているため、この風により切り花が墓地の内外に飛散するという問題もある。
さらに、剣山を用いて切り花を直立させた場合でも、剣山による保持力は非常に弱いため強い風が吹くと剣山から切り花が抜けて飛散してしまう。
【０００８】
また、メッシュ状の部材を用いて切り花を一本づつ挿入する場合は、確かに多少の風では飛散しないが切り花を全部まとめて花立てに挿入することができないとともに、すべての切り花を挿入するまでに手間を要するという問題がある。
【０００９】
さらに、クリップ等で切り花を把持する場合は、切り花の特定部位に力がかかりその部分から切り花が腐敗するという問題もある。
本発明は、前記事項に鑑み改良を加えたものである。
【００１０】
すなわち、切り花を直立させるとともに、この切り花を花器等に挿入した場合でも風等の影響によって飛散することがない切り花保持具を提供することを技術的課題とする。
【００１１】
さらに、切り花を収束させることに手間を要せず、この切り花を長持ちさせる切り花保持具を提供することを技術的課題とする。
【００１２】
【課題を解決するための手段】
本発明は、前記課題を解決するために以下の手段を採用した。
本発明に係る切り花保持具は、切り花を挿入する筒状の花器内に収納してこの切り花をほぼ直立状態に保持する切り花保持具である。
【００１３】
そして、この切り花保持具は、ヒンジを介して接続され、このヒンジを中心に回動して開閉動作をする相対向する２つの弾性体を設け、前記弾性体の開動作は、２つの前記弾性体が花器内面に当接することによって規制され、２つの前記弾性体がこれらの間に切り花を狭持して動作するときは、２つの前記弾性体が花器内面に当接する反作用力によってこれら２つの弾性体が閉じる方向に付勢され、切り花を保持するものである。
【００１４】
本発明によれば、２つの切り花保持部材で形成する空間に所定の本数の切り花を挿入すると切り花による抵抗で相対向する切り花保持部材が広げられる。
そして、この切り花と伴に切り花保持具を花器内に挿入すると花器の内壁に切り花保持部材が突き当たった状態で接触し、この内壁による反作用力が切り花保持部材に伝達される。すると切り花保持部材の弾性力により強い力で切り花を保持するようになるとともに、切り花による抵抗でさらに切り花保持部材が広がろうとし、花器の内壁への切り花保持部材の当接力もより強くなって切り花保持具自体が花器に密着して固定されることになる。
【００１５】
なお、筒状の花器とは、中空円柱のみならず戴頭円柱や戴頭円錐または戴頭角錐若しくは方せん体等の多面体も含み、その内部に切り花を挿入することができると観念されるすべての花器が含まれる。さらに、切り花には生花のみならず造花も含まれる。
【００１６】
次に、この切り花保持具は、前記弾性体が板体を折り曲げて成形しても良い。ここで、一端をヒンジを介して接続し、他端がそれぞれこのヒンジを中心として左右前方にかけて湾曲し、先端にて内側空間部内に折り返す相対向するＵ字状の板体にすることが好ましい。
【００１７】
さらに、この切り花保持具は、前記弾性体を多孔質弾性材にて一体成形しても良い。ここで、相対向するＣ字状の多孔質弾性材の一端をヒンジを介して取り付けることが好ましい。
【００１８】
次に、本発明に係る切り花保持具は、切り花を挿入する筒状の花器内に収納してこの切り花をほぼ直立状態に保持する切り花保持具である。
そして、一端をヒンジを介して接続し、他端がそれぞれ前記ヒンジを中心として開閉自在の２つの保持部材と、２つの前記保持部材の外壁面にそれぞれ装着され、前記花器の内壁に接して前記保持部材を閉じる方向に付勢する弾性体とを備えている。
【００１９】
ここで、２つの前記保持部材間の空間に切り花を入れて相対向する前記保持部材が広げられたときに、前記花器の内壁による反作用力が前記弾性体を介して前記保持部材に伝達されて切り花を保持し、切り花をほぼ直立状態に保つものである。
【００２０】
本発明によれば、２つの保持部材で形成する空間に所定の本数の切り花を挿入すると切り花が抵抗となって相対向する保持部材が広げられる。
そして、切り花と伴に切り花保持具を花器内に挿入すると保持部材の外壁面にそれぞれ装着した弾性体が花器の内壁に当接し、この内壁による反作用力が弾性体を介して保持部材に伝達される。すると弾性体の弾性力で保持部材を閉じる方向に力が加わる。これにより切り花をより強い力で保持するようになる。
【００２１】
さらに、切り花がより大きな抵抗となり保持部材を広げる方向にも力が働いて花器の内壁への保持部材の当接力も強くなり切り花保持具自体が花器に密着して固定されることになる。
【００２２】
【発明の実施の形態】
次に、実施の形態１〜２に係る切り花保持具１、１０を図１〜９に基づいて説明する。
（１）最初に、本実施の形態１に係る切り花保持具１について説明する。この切り花保持具１は、図１に示すように板体のその長さ方向の一端をヒンジ２を介して接続し、このヒンジ２から続き前方にかけてそれぞれ内側方向へ湾曲した半筒状の当接部３ａ、３ａを有するとともに、先端からヒンジ２側に折り返す折り返し部３ｂ、３ｂ有し、さらに、等円状に湾曲した保持部３ｃ、３ｃを有する２つの切り花保持部材３、３とで形成している。
【００２３】
ここで、切り花保持部材３、３は、板体を折り曲げて一体として形成し、当接部３ａ、３ａと保持部３ｃ、３ｃとの間には所定の空間６、６を設けている。これは切り花保持部材３、３の保持部３ｃ、３ｃが当接部３ａ、３ａの方向へと自由に撓むことができるようにするためである。
【００２４】
なお、折り返し部３ｂ、３ｂは、保持部３ｃ、３ｃを常に当接部３ａ、３ａから離そうとする力を付勢する弾性体の役割を有する。
次に、切り花保持部材３、３、は、折り返し部３ｂ、３ｂ同士が当設した場合でも花器４に挿入することができるように花器４の内壁の円周とほぼ同一かまたは若干小さい円周を有するようにすることが好ましい。
【００２５】
なお、この切り花保持具１は、花器４の形状に合致させるようにその長さ方向の上部から下部にかけてやや先を細くした形状を有するとともに、この花器４とほぼ同様の高さを有するものである。
【００２６】
但し、この切り花保持具１の高さは、花器４と同一の高さを有する必要はなく、花器４の高さよりも小さいものであればそのサイズは自由に定めることができる。
【００２７】
また、２つの切り花保持部材３、３は、ヒンジ２側へと折り返しているが、保持部３ｃ、３ｃの終端が再びヒンジ２と接続するものではなく所定の間隔を開けるようにしている。
【００２８】
ここで、所定の間隔を開けるのは、切り花６の茎の抵抗を受けて保持部３ｃ、３ｃが当接部３ａ、３ａの方向へと撓み易くするためである。
なお、保持部３ｃ、３ｃの終端が当接部３ａ、３ａに接触しても良いが、当接部３ａ、３ａに接続するものではない。この場合でも保持部３ｃ、３ｃと当接部３ａ、３ａとの間には所定の空間６、６、を設ける必要がある。
【００２９】
そして、切り花保持具１は、図２に示すようにヒンジ２を中心にして切り花保持部材３、３を折り畳み、それぞれの切り花保持部材３、３で形成する空間で切り花５の茎を保持する。
【００３０】
ここで、図３に示すように切り花５を保持すると折り返し部３ｂ、３ｂが弾性体の働きをするため切り花５の茎の抵抗で保持部３ｃ、３ｃが当接部３ａ、３ａの方向に撓む、するとこの作用により切り花保持部材３、３自体が外側に広がろうとする。
【００３１】
そして、図６に示すようにこの切り花保持具１を花器４に挿入すると切り花保持部材３、３の当接部３ａ、３ａが花器４の内壁４ａに当たり、花器４の内壁４ａからの圧力が切り花保持部材３、３に加わる。この花器４からの圧力は、逆に切り花保持部材３、３を内側方向に閉じるように作用する。
【００３２】
したがって、花器４による反作用で切り花保持具１の保持部３ｃ、３ｃがより強く切り花５の茎を保持することになる。さらに、保持部３ｃ、３ｃが当接部３ａ、３ａの方向に撓むとこれによって切り花保持部材３、３が広がるように作用し、花器４の内壁４ａへの当接力がますます強くなる。すなわち、切り花５の茎の抵抗と花器４の内壁４ａからの圧力により、切り花保持部材３、３が両者に挟まれた状態になり花器４の内壁４ａにより強く密着して固定することになる。
【００３３】
次に、切り花保持具１を挿入する花器４は、図４に示すように切り花５を挿入する開口部をその上部に有するとともに、切り花５を支えることができるようにある程度の高さを有する内部を中空にした円柱状である。そして、その長さ方向の上部から下部にかけてやや先を細くした形状である。
【００３４】
そして、切り花保持具１を形成する材質は、金属または合成樹脂等を用いることができる。そして、金属では、銅板やステンレス板等を用いることが好ましく、合成樹脂では、プラスチックを用いることが好ましいが、特に材質についての限定はない。
【００３５】
また、花器４の材質も金属または合成樹脂若しくは硝子等を用いることができ、材質についての限定はない。
次に、この切り花保持具１は、図示はしていないがその長さ方向の一端をヒンジ２を介して接続し、このヒンジ２から続き前方にかけて内側方向に湾曲した半筒状の２つの多孔質弾性体で形成しても良い。
【００３６】
ここで、多孔質弾性体にはある程度の硬さを有するウレタンフォーム等を用いることができる。さらに、弾性体として合成ゴムまたは弾性力のある合成樹脂等を用いることもできる。
【００３７】
次に、多孔質弾性体で形成した場合、切り花５を保持すると多孔質弾性体が切り花５の茎の抵抗で外側に広がろうとする。そして、この切り花保持具１を花器４に挿入すると多孔質弾性体の外壁が花器４の内壁４ａに当たり、花器４の内壁４ａからの圧力がこの多孔質弾性体に加わる。すると花器４からの圧力によって、逆に多孔質弾性体が内側方向に閉じるように作用する。
【００３８】
したがって、花器４による反作用で多孔質弾性体がより強く切り花５の茎を保持することになるとともに、茎の抵抗でさらに花器４の内壁４ａへの当接力も強くなる。
【００３９】
また、このような構成にすることで切り花５の茎の全体に均一に力が加わるため特定の部位からの腐敗を防止することができ切り花５を長持ちさせることができる。
【００４０】
さらに、切り花保持具１によって手間をかけずに簡単に切り花５をまとめることができる。
（２）次に、本実施の形態２に係る切り花保持具１０について説明する。この切り花保持具１０は、図７に示すように板体のその長さ方向の一端をヒンジ１１を介して接続し、このヒンジ１１から続き左右前方にかけて湾曲した半筒状の２つの保持部材１２、１２と、花器１４の内壁に両端が当接するように左右前方にかけて湾曲した半筒状の弾性体１３、１３とで形成する。
【００４１】
そして、この弾性体１３、１３は、保持部材１２、１２の短手方向の外縁長さのほぼ中心と弾性体１３、１３の短手方向の外縁長さのほぼ中心とをそれぞれを背中合わせにして保持部材１２、１２の外側壁に取り付けている。
【００４２】
ここで、この弾性体１３、１３を保持部材１２、１２に取り付けるためにそれぞれの接点を３つの鋲１５で接続している。なお、接続の方法は、両者を溶接したり、ビスで取り付けても良い。
【００４３】
次に、図８に示すように弾性体１３、１３の両端が花器１４の内壁１４ａに当設しながら花器１４に挿入することができるように弾性体１３、１３の短手方向の外縁長さを調節することが好ましい。
【００４４】
また、この切り花保持具１０は、花器１４の形状に合致させるようにその長さ方向の上部から下部にかけてやや先を細くした形状を有するとともに、この花器１４とほぼ同様の高さを有するものである。
【００４５】
次に、図９に示すように切り花５を保持部材１２、１２で保持すると保持部材１２、１２が切り花５の茎の抵抗で外側に広がろうとする。そして、この切り花保持具１０を花器１４に挿入すると弾性体１３、１３の両端が花器１４の内壁１４ａに当たり、花器１４の内壁１４ａからの圧力が弾性体１３、１３を介して保持部材１２、１２に加わる。すると花器１４からの圧力によって、逆に保持部材１２、１２が内側に縮まるように作用する。したがって、花器１４による反作用で保持部材１２、１２がより強く切り花５の茎を保持することになる。
【００４６】
ところで、弾性体１３、１３は、一端から他端にかけて湾曲しているのでこの弾性体１３、１３を広げるように両端に圧力を加わえると、弾性体１３、１３の両端を狭めるような力が生ずる。すなわち、弾性体１３、１３が花器１４の内壁１４ａに強く当接して両端に圧力が加わるとこの弾性体１３、１３がバネの機能を発揮することになる。
【００４７】
次に、ヒンジ１１を介して左右ほぼ対称の保持部材１２、１２を接続しているので、一方の手に切り花５を入れた切り花保持具１０を持ち、他方の手に花器１４を持って手間をかけずに簡単にセットすることができる。
【００４８】
【発明の効果】
本発明によれば、ヒンジと弾性体により形成する切り花保持具が切り花をほぼ直立させるとともに、この切り花保持具を切り花とともに花器に挿入すると切り花の茎と花器の内壁からの圧力により切り花保持具が花器の内壁に密着し、切り花と伴に花器に固定されるので風等の影響によって飛散することがない。
【００４９】
さらに、切り花を収束させてこの切り花保持具にセットするまでに手間を要せず、切り花の茎全体にほぼ均一に力がかかるので、切り花を長持ちさせることができる。
【図面の簡単な説明】
【図１】実施の形態１に係る切り花保持具の斜視図
【図２】実施の形態１に係る切り花保持具の斜視図
【図３】実施の形態１に係る切り花保持具が切り花の茎を保持する動作図
【図４】花器の斜視図
【図５】実施の形態１に係る切り花保持具を花器に挿入する動作図
【図６】実施の形態１に係る切り花保持具に切り花を保持させて花器に挿入する動作図
【図７】実施の形態２に係る切り花保持具の斜視図
【図８】実施の形態２に係る切り花保持具の上面図
【図９】実施の形態２に係る切り花保持具を花器に挿入する動作図
【符号の説明】
１・・・切り花保持具
２・・・ヒンジ
３・・・切り花保持部材
４・・・花器
５・・・切り花
６・・・空間
１０・・・切り花保持具
１１・・・ヒンジ
１２・・・保持部材
１３・・・弾性体
１４・・・花器
１５・・・鋲
【図１】
0003881744.tif 000002
【図２】
0003881744.tif 000003
【図３】
0003881744.tif 000004
【図４】
0003881744.tif 000005
【図５】
0003881744.tif 000006
【図６】
0003881744.tif 000007
【図７】
0003881744.tif 000008
【図８】
0003881744.tif 000009
【図９】
0003881744.tif 000010